(57)【特許請求の範囲】
【請求項１】
高速ディジタルデータを通信する通信回線の伝送特性測定装置において、
前記通信回線のＴｉｐとＲｉｎｇ間の信号成分を低減させるブリッジ回路と、
出力端子の一端が接地され前記ブリッジ回路の入力端子に信号を印加する送信側測定器と、
前記ブリッジ回路の出力端子に接続される受信側測定器と
を備えたことを特徴とする伝送特性測定装置。
【請求項２】
高速ディジタルデータを通信する通信回線の伝送特性測定装置において、
前記通信回線の他端に接続されたＡ／Ｄ変換回路と、
記憶回路と、
前記通信回線からの過大入力を検出する飽和検出回路と、
これらの回路を制御すると共に過大入力があった場合に前記記憶回路に記憶されている前記Ａ／Ｄ変換回路で取り込まれた前記通信回線の伝送特性の測定データに過大入力を示すフラグを付加する制御回路と
を備えたことを特徴とする伝送特性測定装置。
【発明の詳細な説明】
【０００１】
【発明の属する技術分野】
本発明は、高速ディジタルデータを通信する電話回線等の通信回線の伝送特性測定装置に関し、特に測定作業が容易でノイズの判別が可能な伝送特性測定装置に関する。
【０００２】
【従来の技術】
従来の電話回線等の通信回線では減衰特性、クロストーク特性やノイズ特性等の伝送特性の測定を行う。その伝送特性は被試験体である被測定通信回線の一端から信号を供給し、被測定通信回線の他端でその信号を測定することにより測定されていた。
【０００３】
図６はこのような従来の伝送特性測定装置の一例を示す構成ブロック図である。図６において１はトラッキング発振器やスイープ発振器等の信号発生器、２は選択レベル計やスペクトラムアナライザ等の測定器、１００は被試験体である被測定通信回線である。
【０００４】
信号発生器１は被測定通信回線１００の一端に接続され、被測定通信回線１００の他端には測定器２が接続される。
【０００５】
ここで、図６に示す従来例の動作を図７及び図８を用いて説明する。図７は被測定通信回線１００の減衰特性を示す特性曲線図、図８は被測定通信回線１００のノイズ特性を示す特性曲線図である。
【０００６】
例えば、被測定通信回線１００の減衰特性を測定する場合には、信号発生器１により被測定通信回線１００に出力する信号の周波数をスイープさせる。一方、測定器２側では被測定通信回線１００を伝播してきた信号を取り込みスペクトラムを得て表示手段等に表示する。このような測定をすることにより図７示すような減衰特性が得られる。
【０００７】
また、例えば、被測定通信回線１００のノイズ特性を測定する場合には、信号発生器１により被測定通信回線１００からの信号の出力を停止させる。一方、測定器２側では被測定通信回線１００から入力されるノイズ信号を取り込みスペクトラムを得て表示手段等に表示する。このような測定をすることにより図８に示すようなノイズ特性が得られる。
【０００８】
【発明が解決しようとする課題】
しかし、図６示すような伝送特性測定装置では信号発生器１を動作させながら測定器２で測定する時、測定器２が選択レベル計の場合には選択周波数を自動捕捉しながらレベル測定を行い、測定器２がスペクトラムアナライザの場合には最大値保持モードで変化する信号周波数のピークのスペクトラムを測定する必要があり、測定周波数範囲が広い場合には測定時間が長くなってしまうと言った問題点があった。
【０００９】
また、被測定通信回線１００が実際に敷設されたものであり、その長さが数キロメートル等と長い場合には、被測定通信回線１００の両端に設置された信号発生器１及び測定器２を並行して動作させるために信号発生器１及び測定器２の各１人以上の作業者を配置すると共に、互いに連絡を取りあって伝送特性を測定する必要性があり、伝送特性測定が容易ではないと言った問題点があった。
【００１０】
また、電話回線等の通信回線では減衰特性のみならずノイズ特性が通信性能に大きく影響するため、通信回線に伝播しているノイズがどのようなノイズ源からクロストークしているかを推定する場合には作業者のノイズ・スペクトラムに関するスキルに左右されてしまうと言った問題点があった。
【００１１】
また、ノイズが非定常的に発生する場合には長時間に渡るノイズ特性の測定が必要になるものの、単純に測定データを蓄積した場合には測定時間に伴い蓄積されるデータが膨大になり、一定周期で測定する場合には蓄積データ量は少なくなるものの非定常的なノイズを捕捉できない恐れがあると言った課題があった。
【００１２】
また、”Ｎｅａｒ−Ｅｎｄ−Ｃｒｏｓｓ−Ｔａｌｋ（近端漏話）”測定時には測定点がそれほど離れた状態にはないものの、受信機器及び送信機器の操作をマニュアル操作で行う必要があり、測定作業が煩雑になってしまうと言った問題点があった。
【００１３】
また、”Ｌｏｎｇｉｔｕｄｉｎａｌ  Ｂａｌａｎｃｅ”の測定の場合も作業者がループの両端に別れた測定作業を行わなければならないと言った問題点があった。さらに、電話器（ＰＯＴＳ：Ｐｌａｉｎ  Ｏｌｄ  Ｔｅｌｅｐｈｏｎｅ  Ｓｙｓｔｅｍ）や雷によって１０Ｖ以上の信号が伝送ラインに重畳されるものの、ＰＯＴＳ信号若しくは雷によるノイズとの判別ができないと言った問題点があった。
従って本発明が解決しようとする課題は、測定作業が容易でノイズの判別が可能な伝送特性測定装置を実現することにある。
【００１４】
【課題を解決するための手段】
このような課題を達成するために、本発明のうち請求項１記載の発明は、
高速ディジタルデータを通信する通信回線の伝送特性測定装置において、
前記通信回線のＴｉｐとＲｉｎｇ間の信号成分を低減させるブリッジ回路と、出力端子の一端が接地され前記ブリッジ回路の入力端子に信号を印加する送信側測定器と、前記ブリッジ回路の出力端子に接続される受信側測定器とを備えたことにより、ループの片側から”Longitudinal Balance”の測定が可能になる。
【００１５】
請求項２記載の発明は、
高速ディジタルデータを通信する通信回線の伝送特性測定装置において、
前記通信回線の他端に接続されたＡ／Ｄ変換回路と、記憶回路と、前記通信回線からの過大入力を検出する飽和検出回路と、これらの回路を制御すると共に過大入力があった場合に前記記憶回路に記憶されている前記Ａ／Ｄ変換回路で取り込まれた前記通信回線の伝送特性の測定データに過大入力を示すフラグを付加する制御回路とを備えたことにより、測定中に入力されたデータがＰＯＴＳ若しくは雷によるノイズであるかが判別でき、このノイズが伝送品質に影響を与える要因か否かを評価することができる。
【００２４】
【発明の実施の形態】
以下本発明を図面を用いて詳細に説明する。図１は本発明に係る伝送特性測定装置の一実施例を示す構成ブロック図であり、特に、”Ｎｅａｒ−Ｅｎｄ−Ｃｒｏｓｓ−Ｔａｌｋ”測定を自動測定が可能な伝送特性測定装置である。
【００２５】
図１において、３及び９は測定信号と通信信号とを選択するマルチプレクサ回路、４はＡ／Ｄ変換器、５及び１１は各回路を制御する制御回路、６は測定データなどを記憶する記憶回路、７及び１２は被測定通信回線を用いて通信を行う通信回路、８及び１３は被測定通信回線以外の媒体により通信を行う通信回路、１０は信号発生器、１００ａは被測定通信回線、１０１は通信ケーブルである。また、３〜８は受信側測定器５０を、９〜１３は送信側測定器５１をそれぞれ構成している。
【００２６】
受信側測定器５０において、被測定通信回線１００ａの一端はマルチプレクサ回路３に接続され、マルチプレクサ回路３の一方の出力はＡ／Ｄ変換器４に接続され、マルチプレクサ回路３の他方の入出力は通信回路７に接続される。
【００２７】
Ａ／Ｄ変換器４の出力と通信回路７及び８の入出力は制御回路５に接続され、記憶回路６の入出力もまた制御回路５に接続される。さらに、制御回路５の制御信号がマルチプレクサ回路３，通信回路７及び８の制御入力端子に接続される（図示せず。）。
【００２８】
一方、送信側測定器５１において、被測定通信回線１００ａの他端はマルチプレクサ回路９に接続され、マルチプレクサ回路９の一方の入力は信号発生器１０に接続され、マルチプレクサ回路９の他方の入出力は通信回路１２に接続される。
【００２９】
通信回路１２及び１３の入出力は制御回路１１に接続され、制御回路１１の出力が信号発生器１０に接続される。さらに、制御回路１１の制御信号がマルチプレクサ回路９、通信回路１２及び１３の制御入力端子に接続される（図示せず。）。最後に通信回路８と通信回路１３は通信ケーブル１０１により相互に接続される。
【００３０】
ここで、図１に示す実施例の動作を説明する。受信側測定器５０及び送信側測定器５１が”マスター”及び”スレーブ”として動作する場合を考える。
【００３１】
先ず第１に、受信側測定器５０は制御回路５で通信回路７を制御して”スレーブ”である送信側測定器５１に対して信号発生を指示する”コマンド”をマルチプレクサ回路３を介して被測定通信回線１００ａに出力する。
【００３２】
一方、送信側測定器５１は被測定通信回線１００ａを伝播してくる”コマンド”をマルチプレクサ回路８で切り換えて通信回路１２に取り込み受信する。
【００３３】
そして、制御回路１１は”コマンド”に従い信号発生器１０を制御して指定された信号を発生させると共にマルチプレクサ回路９を介して被測定通信回線１００ａに出力する。同時に制御回路１１は通信回路１２を制御して指定された信号の”発生通知”をマルチプレクサ回路９を介して被測定通信回線１００ａに出力する。
【００３４】
送信側測定器５１は被測定通信回線１００ａを伝播してくる”発生通知”をマルチプレクサ回路３で切り換えて通信回路７に取り込み受信する。そして、制御回路５は”発生通知”を確認すると発生した信号に対するＦＦＴ処理等の測定処理を行う。
【００３５】
この結果、受信側測定器５０の通信回路７及び送信側測定器５１の通信回路１２を用いて被測定通信回線１００ａ上で通信を行い互いに信号の発生処理や測定処理を同期させることにより、図１に示す事例の場合には作業者は”マスター”である受信側測定器５０に側に１人以上配置すればよく、伝送特性測定自体も自動的に行われるので容易になる。
【００３６】
但し、誘導信号を測定する場合にはその信号レベルは非常に小さい。このため被測定通信回線を用いた通信回路７及び１２間での通信では信号のＳ／Ｎが悪くて通信品質を保つことが困難である。
【００３７】
この場合の動作を図２を用いて説明する。図２は受信側測定器５０の制御回路５の動作を説明するフロー図である。図２中”Ｓ００１”において制御回路５は第１の通信回路である通信回路７のＳ／Ｎが悪化しているか否かを判断し、もし、Ｓ／Ｎが悪化している場合には図２中”Ｓ００２”において制御回路５は第２の通信回路である通信回路８が通信可能であるかを検出する。
【００３８】
もし、図２中”Ｓ００２”において通信回路８が通信可能であれば、図２中”Ｓ００３”において制御回路５は第２の通信回路である通信回路８を”Ｅｎａｂｌｅ”にすると共に図２中”Ｓ００４”において第１の通信回路である通信回路７を”Ｄｉｓａｂｌｅ”に設定する。
【００３９】
同様に、送信側測定器５１の制御回路１１も第２の通信回路である通信回路１３を”Ｅｎａｂｌｅ”にすると共に第１の通信回路である通信回路１２を”Ｄｉｓａｂｌｅ”に設定することにより、受信側測定器５０及び送信側測定器５１との間で通信回線が確立される。
【００４０】
すなわち、”マスター”の受信側測定器５０がこの確立された通信回線により”スレーブ”の送信側測定器を制御することにより、信号レベルの表示に小さい誘導信号を測定する場合であっても、通信品質を保つことが可能になり、自動測定が可能になる。
【００４１】
この結果、信号レベルは非常に小さくＳ／Ｎが悪くて通信品質を保つことが困難には、被測定通信回線以外の媒体を用いる第２の通信回路を用いて通信を行うことにより、自動測定が可能になり、測定作業が容易になる。
【００４２】
また、図３は”Ｌｏｎｇｉｔｕｄｉｎａｌ  Ｂａｌａｎｃｅ”の測定を行う伝送特性測定装置の一実施例を示す構成ブロック図である。図３において５０及び５１は図１と同一符号を付してあり、１４は被測定通信回線のＴｉｐ、Ｒｉｎｇに評価信号を重畳するブリッジ回路、１５は交換機、１６は電話機、１００ｂは被測定通信回線、１０２は接地信号である。また、１４，５０及び５１は伝送特性測定装置５２を構成している。
【００４３】
受信側測定器５０の入力は被測定通信回線１００の一端及びブリッジ回路１４の出力端子にそれぞれ接続され、被測定通信回線１００ｂの他端には電話機１６が接続される。また、被測定通信回線１００ｂの途中には交換機１５が接続される。
【００４４】
また、ブリッジ回路１４の入力端子には送信側測定器５１の出力が接続され、送信側測定器５１の接地端子は接地信号１０２に接続される。
【００４５】
ここで、図３に示す実施例の動作を図４を用いて説明する。図４は”Ｌｏｎｇｉｔｕｄｉｎａｌ  Ｂａｌａｎｃｅ”の測定手順を示すフロー図である。図４中”Ｓ１０１”において作業者はブリッジ回路１４、受信側測定器５０及び送信側測定器５１を前述のように接続し、接地端子を接地する。但し、この時、被測定通信回線１００ｂとの接続をしない状態にする。
【００４６】
また、評価信号を発生させる送信側測定器５１の接地端子を接地することにより評価信号をコモンモードで出力することができる。
【００４７】
図４中”Ｓ１０２”において作業者は送信側測定器５１から評価信号をブリッジ回路１４の入力端子に出力すると共に、図４中”Ｓ１０３”においてブリッジ回路１４のバランスを調整して受信側測定器５０で検出される信号レベルが最小になるようにする。この時の最小の信号の値を”Ｖ１”とする。
【００４８】
また、図４中”Ｓ１０４”において作業者は被測定通信回線１００ｂをブリッジ回路１４の出力端子に接続すると共に、図４中”Ｓ１０５”において受信側測定器５０で信号レベルを測定してその値を”Ｖ２”とする。
【００４９】
最後に、図４中”Ｓ１０６”において作業者はバランス”Ｂ”を下記のように計算する。
Ｂ＝２０・ｌｏｇ（Ｖ１／Ｖ２）      （１）
【００５０】
すなわち、ブリッジ回路１４により被測定通信回線１００ｂが未接続の状態の信号成分を低減させることにより、被測定通信回線１００ｂのＴｉｐ、Ｒｉｎｇ間の信号成分が低減されることになり、ループの片側から”Ｌｏｎｇｉｔｕｄｉｎａｌ  Ｂａｌａｎｃｅ”の測定が可能になる。
【００５１】
これまでは、一端から評価信号を出力し、他端でこの評価信号を測定することにより、”Ｌｏｎｇｉｔｕｄｉｎａｌ  Ｂａｌａｎｃｅ”の測定を行っていたが、電話線では平衡線路であるため直流電位の差以外はＴｉｐとＲｉｎｇは同一の特性になるのでループの片側から”Ｌｏｎｇｉｔｕｄｉｎａｌ  Ｂａｌａｎｃｅ”の測定が可能になる。
【００５２】
また、図５はノイズの判別が可能な伝送特性測定装置の一実施例を示す構成ブロック図である。図５において４ａはＡ／Ｄ変換器、５ａは制御回路、６ａは記憶回路、１７は飽和検出回路、１００ｃは被測定通信回線である。
【００５３】
被測定通信回線１００ｃはＡ／Ｄ変換器４ａ及び飽和検出回路１７にそれぞれ接続され、Ａ／Ｄ変換器４ａの出力は制御回路５ａに接続される。また、飽和検出回路１７の出力も制御回路５ａに接続され、記憶回路６ａの入出力が制御回路５ａに接続される。
【００５４】
ここで、図５に示す実施例の動作を説明する。飽和検出回路１７は入力信号が過大入力の場合これを検出して制御回路５ａに過大入力検出を出力する。過大入力検出の出力が入力されると制御回路５ａは記憶回路６ａに記憶されている測定データに過大入力を示すフラグを付加する。
【００５５】
この結果、付加されたフラグをチェックすることにより、測定中に入力されたデータがＰＯＴＳ若しくは雷によるノイズであるかが判別でき、このノイズが伝送品質に影響を与える要因か否かを評価することができる。
【００５６】
例えば、測定帯域は２０ｋＨｚ〜２ＭＨｚであり、その帯域内に混入される巨大な信号はＰＯＴＳのリンガー、ＯＮフック信号等がある。これらの信号は他のノイズと判別するため前述の飽和検出フラグを用いる。
【００５７】
すなわち、上記信号により飽和が検出された場合はフラグを付しておくことにより、ノイズとは分別することができる。また、ＰＯＴＳに関してはモデム側で対策がなされているため伝送品質に影響をあたえません。
【００５８】
なお、図１に示す実施例において第２の通信回路を単に有線である通信ケーブルにより相互に接続したが、これは、銅線若しくは光ファイバであっても構わない。また、有線ではなく電磁波や光を用いた無線であっても構わない。
【００５９】
【発明の効果】
以上説明したことから明らかなように、本発明によれば次のような効果がある。
請求項１の発明によれば、ブリッジ回路により被測定通信回線が未接続の状態の信号成分を低減させることにより、被測定通信回線のＴｉｐ、Ｒｉｎｇ間の信号成分が低減されることになり、ループの片側から”Longitudinal Balance”の測定が可能になる。
【００６０】
また、請求項２の発明によれば、過大入力検出の出力が入力された場合に測定データに過大入力を示すフラグを付加することにより、測定中に入力されたデータがＰＯＴＳ若しくは雷によるノイズであるかが判別でき、このノイズが伝送品質に影響を与える要因か否かを評価することができる。
【図面の簡単な説明】
【図１】本発明に係る伝送特性測定装置の一実施例を示す構成ブロック図である。
【図２】制御回路の動作を説明するフロー図である。
【図３】”Ｌｏｎｇｉｔｕｄｉｎａｌ  Ｂａｌａｎｃｅ”の測定を行う伝送特性測定装置の一実施例を示す構成ブロック図である。
【図４】”Ｌｏｎｇｉｔｕｄｉｎａｌ  Ｂａｌａｎｃｅ”の測定手順を示すフロー図である。
【図５】ノイズの判別が可能な伝送特性測定装置の一実施例を示す構成ブロック図である。
【図６】従来の伝送特性測定装置の一例を示す構成ブロック図である。
【図７】被測定通信回線の減衰特性を示す特性曲線図である。
【図８】被測定通信回線のノイズ特性を示す特性曲線図である。
【符号の説明】
１  信号発生器
２  測定器
３，９  マルチプレクサ回路
４，４ａ  Ａ／Ｄ変換器
５，５ａ，１１  制御回路
６，６ａ  記憶回路
７，８，１２，１３  通信回路
１０  信号発生器
１４  ブリッジ回路
１５  交換機
１６  電話機
１７  飽和検出回路
５０  受信側測定器
５１  送信側測定器
５２  伝送特性測定装置
１００，１００ａ，１００ｂ，１００ｃ  被測定通信回線
１０１  通信ケーブル
【図１】
0003593694.tif 000002
【図２】
0003593694.tif 000003
【図３】
0003593694.tif 000004
【図４】
0003593694.tif 000005
【図５】
0003593694.tif 000006
【図６】
0003593694.tif 000007
【図７】
0003593694.tif 000008
【図８】
0003593694.tif 000009